(57)【要約】      （修正有）【課題】ブックカバーを装着した書籍において、ミシン目に沿ってブックカバーの一部を剥離することで、書籍の背表紙に印刷された書名や著者等を目視できるブックカバーを提供する。【解決手段】書籍の情報を印刷した書籍保護シート１２０と、不透明なシート１１０を剥離可能に貼り合わせたブックカバー１００であって、前記不透明なシートは、書籍保護シートに印刷された情報を視認できないように覆いつつ、前記保護シートに印刷された印刷情報部分を露出させるための窓１１１ａを形成するためのミシン目１１１を有することを特徴とするブックカバーである。【選択図】図１
0003140385.tif 000002
【実用新案登録請求の範囲】
【請求項１】
書籍の情報を印刷した書籍保護シートと、不透明なシートを剥離可能に貼り合わせたブックカバーであって、
前記不透明なシートは、書籍保護シートに印刷された情報を視認できないように覆いつつ、前記保護シートに印刷された印刷情報部分を露出させるための窓を形成するためのミシン目を有することを特徴とするブックカバー。
【請求項２】
前記不透明なシートは、飾り図形や宛先情報を含む印刷情報を有する
ことを特徴とする請求項２に記載のブックカバー。
【請求項３】
前記保護シートの印刷情報は、書籍名称情報やメッセージ文字列であって、それぞれが、保護シートの異なる場所に印刷されて、
前記不透明なシートが有するミシン目の位置は、前記保護シートのそれぞれの印刷情報の位置に対応している
ことを特徴とする請求項１または請求項２のいずれか１項に記載のブックカバー。
【請求項４】
透明な書籍保護シートと不透明なシートを剥離可能に貼り合せたブックカバーであって、
前記不透明なシートは、前記ブックカバーが保護する書籍の背表紙に印刷されている書籍名称情報を視認できないように覆いつつ、前記書籍の背表紙に印刷されている書籍名称情報を露出させるために、不透明なシートの一部を書籍の背表紙の幅に合わせて分離できるようにミシン目加工がなされている
ことを特徴とするブックカバー。
【考案の詳細な説明】
【技術分野】
【０００１】
本考案は、ブックカバーを装着した書籍において、ミシン目に沿ってブックカバーの一部を剥離することで、書籍の背表紙に印刷された書名や著者等を目視できるブックカバーに関するものである。
【背景技術】
【０００２】
書店で書籍を購入するときは、通常、以下の目的でブックカバーをつける習慣がある。  
（１）代金支払い済みを証明するため。
（２）読書中の書籍の題名などを隠すため。
（３）書籍を、汚れなどから保護するため。
【０００３】
たとえば、特許文献１には、本の背部タイトルを可視できるように剥離部８に透明の皮膜帯を粘着してなる簡易ブックカバーの技術が開示されている。
【特許文献１】実用新案出願公告昭５８−２３６６１号公報（第２ページ左段落第１１行から１３行、図１）
【考案の開示】
【考案が解決しようとする課題】
【０００４】
ところが、特許文献１の技術においては、本の厚さに応じて適宜の幅を剥離できるように、あらかじめ剥離用ミシン目７を数条設けているために、本の厚さに応じたミシン目を選択するための手間がかかる。また、本の厚さは、多様であるので、丁度よい幅のミシン目が必ずしも存在するわけではない。
【０００５】
本考案が解決しようとする問題点は、ブックカバーが所望の位置に所望の形状でミシン目を有していない点である。
【課題を解決するための手段】
【０００６】
本考案は、書籍の情報を印刷した書籍保護シートと、不透明なシートを剥離可能に貼り合わせたブックカバーであって、前記不透明なシートは、書籍保護シートに印刷された情報を視認できないように覆いつつ、前記保護シートに印刷された印刷情報部分を露出させるための窓を形成するためのミシン目を有することを特徴とするブックカバーであって、ブックカバーで覆い隠された書籍の書籍情報（たとえば、書名や著者名）を目視できるようになること、を最も主要な特徴とする。
【考案の効果】
【０００７】
本考案のブックカバーは、所望の期間は書籍情報を隠蔽できる利点と、また、ブックカバーの所定の部分を剥離することによって保護された書籍の書籍情報を目視できるようにする利点と、がある。
【考案を実施するための最良の形態】
【０００８】
ブックカバーによって所望の時期まで書籍情報を隠蔽できるという目的と、ブックカバーによって保護された書籍の書籍情報を目視できるという目的を達成すべく、ブックカバーは書籍保護シートと不透明なシートを剥離可能に貼り合せておき、不透明なシートのミシン目に沿って不透明なシートを剥離することにより、書籍情報を目視することができる。
【実施例１】
【０００９】
図１は、ミシン目をはがすと書籍名称が現れるブックカバー１００の使い方を説明する図である。
図１の（ａ）には、印刷されている書籍名が目隠しされた状態のブックカバー１００が、例示されている。
ブックカバー１００は、書籍保護シート１２０（たとえば、紙）と不透明なシート１１０（たとえば、不透明樹脂フィルム、不透明なセロハン）を剥離可能に貼り合されている。
ブックカバー１００の不透明シート１１０は、ミシン目１１１が加工されている。
ブックカバー１００の書籍保護シート１２０は、書籍名称が印刷されている。
なお、書籍保護シート１２０が透明な場合には、印刷された書籍名称の領域の下地に不透明なインキを印刷してもよい。
書籍保護シート１２０の印刷面の上には、不透明シート１１０が貼り合されているので、印刷されている書籍名称１２１が目隠しされて、目視できない。
【００１０】
図１の（ｂ）には、不透明なシートのミシン目で囲まれた部分（以下、ミシン目加工部）が剥離されて書籍名称が現れたブックカバー１００が、例示されている。
不透明シート１１０のミシン目加工部１１１ａが除去されて、この除去されたミシン目加工部１１１ａの開口部からは、書籍保護シート１２０に印刷されている書籍名称１２１が目視できる。
【００１１】
図２は、ミシン目加工部をはがすと書籍名称が現れるブックカバー１００の構造を説明する図である。
不透明シート１１０のミシン目加工部１１１ａの位置は、書籍保護シート１２０の書籍名称１２１が印刷されている位置と重なるように対応付けられている。
【実施例２】
【００１２】
図３は、ミシン目加工部をはがすと書籍名称が現れるブックカバー１００を用いた贈答用ブックカバー１００ａの例である。
図３の（ａ）には、印刷されている書籍名が目隠しされた状態の贈答用ブックカバー１００ａが例示されている。
贈答用ブックカバー１００ａの不透明なシート１１０ａは、加工したミシン目１１１／１１２と、印刷された宛名１１３と、印刷した図形（飾りリボン）１１４を有している。
【００１３】
図３の（ｂ）には、ミシン目加工部をはがした贈答用ブックカバー１００ａが例示されている。書籍保護シート１２０ａのミシン目加工部１１１／１１２が除去されると、この除去されたミシン目加工部１１１／１１２の開口部からは、書籍保護シート１２０に印刷されている書籍名称１２１やメッセージ１２２「おめでとう」が目視できる。
すなわち、書籍保護シート１２０のミシン目加工部１１１／１１２の開口部に対応する位置には、それそれ、書籍名称と、メッセージ「おめでとう」が印刷されている。
【００１４】
図４は、贈答用ブックカバー１００ａの構造を説明する図である。
不透明シート１１０のミシン目加工部１１１ａ／１１２ａの位置は、書籍保護シート１２０の書籍名称１２１やメッセージ「おめでとう」の印刷されている位置と重なるように対応付けられている。
【００１５】
なお、不透明シート１１０や書籍保護シート１２０に印刷される情報は、蔵書の整理に活用してもよい。あるいは、蔵書の整理に活用できる情報を不透明シート１１０や書籍保護シート１２０に印刷してもよい。
【実施例３】
【００１６】
図５は、ミシン目加工部を剥がすと書籍の背表紙が見えるブックカバー１００ｂの例である。
【００１７】
図５の（ｂ）には、書籍７００が、例示されている。
書籍７００は、背表紙に書籍名称や著者名が印刷されている。
書籍７００の背表紙の幅は、書籍の厚み寸法７１０に相当する。
【００１８】
図５の（ａ）には、ミシン目加工部を剥がすと書籍の背表紙が見えるブックカバー１００ｂが、例示されている。
ミシン目加工部を剥がすと書籍の背表紙が見えるブックカバー１００ｂは、透明な書籍保護シート１２０と不透明なシート１１０を剥離可能に貼り合されている。
ブックカバー１００の不透明シート１１０は、ミシン目１１１が加工されている。
ミシン目１１１の幅１７０は、ブックカバーが保護する書籍７００の厚み寸法７１０に相当する値である。
ミシン目１１１の位置は、ブックカバーが書籍７００を包んだときの背表紙の位置に相当場所である。
【実施例４】
【００１９】
図６は、ミシン目加工部を剥がすと書籍の背表紙が見えるブックカバー１００ｂで保護した書籍７００の例である。
図６の（ａ）は、ミシン目加工部を剥がす前の状態で書籍７００を保護したブックカバー１００ａが例示されている。
書籍７００の背表紙に印刷された書籍名称や著者名が隠れて目視できない。
図６の（ｂ）は、ミシン目加工部を剥がしたブックカバー１００ｂが例示されている。
書籍７００の背表紙に印刷された書籍名称や著者名が目視できる。
【００２０】
図７は、本考案によるブックカバー作成システム１の全体構成図である。
本発明によるブックカバー作成システム１は、印刷制御装置１００と印刷加工装置３００とがネットワーク接続されて構成される。
印刷制御装置１００は、バーコードリーダを有する。
オンデマンド印刷装置３００は、ブックカバー１００を製造する。
【００２１】
書籍７００は、バーコードを有する。
バーコードは、ＩＳＢＮコードを符号化したバーコードである。ＩＳＢＮは、ＪＩＳ  Ｘ  ０３０５：１９９９の規格である。ＩＳＢＮは、出版者コードと書名コードとを含むコード体系を定める。
【００２２】
図８は、ブックカバー製造の大まかな処理の流れである。
【００２３】
書籍販売員は、書籍７００のバーコードを、印刷制御装置３００のバーコードリーダに読み取らせる（図８（１））。
【００２４】
印刷制御装置３００は、バーコードリーダが読み取ったバーコードから復号した出版者コードや書名コードを取得する（同（２)）。
印刷制御装置３００は、出版者コードや書名コードを用いて、書籍の寸法情報や書籍名情報を含む印刷加工情報を作成して、印刷加工装置５００に送信する（同（３））。
【００２５】
印刷加工装置５００は、印刷制御装置３００が送信する印刷加工情報を受信する（同（４））。
印刷加工装置５００は、印刷加工情報に基づいて、書籍のサイズのシートを２枚（保護シートと不透明シート）選択して、書籍名を印刷し、ミシン目を加工する（同（５））。
印刷加工装置５００は、印刷加工した２枚のシートを剥離可能に貼り合せてブックカバー１００を作成する（同（６））。
【００２６】
図９は、本考案による印刷制御装置３００の詳細な構成図である。
印刷制御装置３００は、ＣＰＵ３０１と、表示部３０２と、入力部３０３と、ネットワーク通信部３０４と、バーコードリーダ３０５と、メモリ３０９（＝記憶手段）と、専用プログラムを備える。
【００２７】
ＣＰＵ３０１は、マイクロプロセッサである。
表示部３０２は、ＬＣＤ（液晶表示器）やＥＬ（有機エレクトロルミネッセンス）ディスプレーである。
入力部３０３は、ボタンキーやタッチペンや表示部３０２を用いたソフトキーボードである。
ネットワーク通信部３０４は、ＬＡＮ接続回路である。
【００２８】
バーコードリーダ３０５は、書籍のバーコードを読み取り、バーコードを復号して復号コードを生成する。
【００２９】
メモリ３０９は、半導体メモリや磁気メモリである。メモリ３０９は、書籍情報３９１を記憶する。
書籍情報３９１は、出版社コードと書籍コードに、書籍名と著者名と書籍寸法とを対応付けた情報である。
【００３０】
このほかに、復号コード取得手段３１０と、書籍情報選択手段３２０と、指定情報受付手段３５０と、加工情報作成手段３３０と、加工情報送信手段３４０と、を備える。これらの各手段は、それぞれの専用プログラムとして実現され、専用プログラムがＣＰＵ３０１に解釈・実行されることによって機能する。
【００３１】
復号コード取得手段３１０は、バーコードリーダが読み取ったバーコードから復号した出版者コードや書名コードを含む復号コードを取得する。
書籍情報選択手段３２０は、復号コード取得手段３１０が取得した復号コードに含まれる出版者コードや書名コードを用いて、メモリ３０９が記憶する書籍情報３９１を参照して、対応する書籍名と著者名と書籍寸法と選択する。
指定情報受付手段３５０は、書籍販売者が入力した指定書体情報やメッセージ文字列を受け付ける。
加工情報作成手段３３０は、書籍情報選択手段３３０が選択した書籍名と著者名と書籍寸法と、指定情報受付手段３５０が受け付けた指定書体情報やメッセージ文字列とを用いて、
書籍保護シート１２０と不透明シート１１０に印刷する情報や、不透明シート１１０にミシン目加工する情報を含む印刷加工情報を作成する。
加工情報送信手段３４０は、印刷加工情報作成手段３３０が作成した加工情報を、印刷加工装置５００に送信する。
【００３２】
図１０は、書籍情報３９１の形式と例である。
【００３３】
図１０の（ａ）は、書籍情報３９１の形式を説明する図である。
書籍情報３９１は、出版社コード・書籍コード部３９１ａと書籍名・著者名・書籍寸法３９１ｂとが対応付けられて構成される。
出版社コード・書籍コード部３９１ａは、出版社コードと書籍コードが記載される。
書籍名・著者名・書籍寸法３９１ｂは、書籍名と著者名と書籍寸法（たとえば、書籍の版サイズと厚み）が記載される。
【００３４】
図１０の（ｂ）には、書籍情報３９１が例示される。
たとえば、書籍情報３９１の例として、出版社コード・書籍コード部３９１ａが「０７１５、５７２」で、書籍名・著者名・書籍寸法３９１ｂ「経済入門、山田太郎、新書版・９ｍｍ」が示されている。
この例の意味は、出版社コードが「０７１５」で書籍コードが「５７２」の書籍は、書籍名が「経済入門」で、著者名が「山田太郎」で、書籍の版サイズが「新書版」で、書籍の厚みが「９ｍｍ」であることを示している。
【００３５】
図１１は、印刷加工装置５００の機能ブロック図である。
印刷加工装置５００は、ＣＰＵ５０１と、シート格納部５０２と、シート選別機５０３と、ネットワーク通信部５０４と、印刷部５０７と、ミシン目機構部３０５と、圧着部５０６と、シート搬送部５０８と、メモリ３０９（＝記憶手段）と、専用プログラムを備える。
【００３６】
ＣＰＵ５０１は、マイクロプロセッサである。
ネットワーク通信部５０４は、ＬＡＮ接続回路である。
シート格納部５０２は、書籍の版サイズに応じたシートサイズのシート（書籍保護シート１２０と不透明シート１１０をそれぞれに格納するトレーから構成される給紙装置である。
シート選別部５０３は、所定のシートサイズが格納されている格納部を選択する。
ミシン目機構部５０５は、シートに所定のミシン目を加工するカッターである。
印刷部５０７は、シートに印刷するプリンタである。
圧着部５０６は、２枚のシートを圧着して剥離可能に貼り合せるプレス装置である。
シート搬送部５０８は、搬送ベルトである。
【００３７】
メモリ３０９は、半導体メモリや磁気メモリである。メモリ３０９は、印刷用フォント５９７を記憶する。
【００３８】
このほかに、加工情報受信手段５４０と、シート選択手段５１０と、印刷手段５２０と、ミシン目加工手段５３０と、ブックカバー作成手段５５０と、を備える。これらの各手段は、それぞれの専用プログラムとして実現され、専用プログラムがＣＰＵ５０１に解釈・実行されることによって機能する。
【００３９】
加工情報受信手段５４０は、印刷制御装置３００が送信した加工情報を受信する。
シート選択手段５１０は、印刷加工情報に含まれる書籍寸法に基づいて、書籍のサイズに対応した書籍保護シート１２０と不透明シート１１０を選択する。
印刷手段５２０は、印刷加工情報に含まれる書籍保護シート１２０と不透明シート１１０に印刷する情報に基づいて、メモリ５０９に記憶する印刷用フォントの中から指定のフォントを選択して、シート選択手段５１０が選択した書籍保護シート１２０あるいは不透明シート１１０に印刷する。
ミシン目加工手段５３０は、印刷加工情報に含まれる不透明シート１１０にミシン目加工する情報に基づいて、シート選択手段５１０が選択した不透明シート１１０をミシン目機構部５０５にミシン目加工させる。
ブックカバー作成手段５５０は、印刷手段が印刷した書籍保護シート１２０と印刷手段が印刷してミシン目加工手段が加工した不透明シート１１０を圧着部５０６で圧着させて、剥離可能に貼り合せさせる。
【産業上の利用可能性】
【００４０】
本考案のブックカバーは、書籍の保護に限らず、贈答本の包装や、蔵書の整理にも、用いることができる。
【図面の簡単な説明】
【００４１】
【図１】（実施例１）ミシン目加工部をはがすと書籍名称が現れるブックカバー１００の使い方を説明する図
【図２】ミシン目加工部をはがすと書籍名称が現れるブックカバー１００の構造を説明する図
【図３】（実施例２）贈答用ブックカバー１００ａ
【図４】贈答用ブックカバー１００ａの構造を説明する図
【図５】（実施例３）ミシン目加工部を剥がすと書籍の背表紙が見えるブックカバー１００ｂの例
【図６】（実施例４）ミシン目加工部を剥がすと書籍の背表紙が見えるブックカバー１００ｂで保護した書籍７００の例
【図７】本考案によるブックカバー作成システム１の全体構成図
【図８】ブックカバー製造の大まかな処理の流れ
【図９】本考案による印刷制御装置３００の詳細な構成図
【図１０】書籍情報３９１の形式と例
【図１１】印刷加工装置５００の機能ブロック図
【符号の説明】
【００４２】
１００  ミシン目加工部をはがすと書籍名称が現れるブックカバー
１００ａ  贈答用ブックカバー
１００ｂ  ミシン目加工部を剥がすと書籍の背表紙が見えるブックカバー
１１０  不透明なシート
１１１  ミシン目
１１２  ミシン目
１１３  印刷された宛名
１１４  印刷した図形（飾りリボン）
１２０  透明な書籍保護シート
１２１  印刷されている書籍名称
１２２  メッセージ
３００  印刷制御装置
３０５  バーコードリーダ
３１０  復号コード取得手段
３２０  書籍情報選択手段
３３０  加工情報作成手段
３４０  加工情報送信手段
３５０  指定情報受付手段
３９１  書籍情報
３９１ａ  出版社コード・書籍コード部
３９１ｂ  書籍名・著者名・書籍寸法
５００  印刷加工装置
５１０  シート選択手段
５２０  印刷手段
５３０  ミシン目加工手段
５４０  加工情報受信手段
５５０  ブックカバー作成手段
７００  書籍
７１０  背表紙の幅、書籍の厚み寸法
【図１】
0003140385.tif 000003
【図２】
0003140385.tif 000004
【図３】
0003140385.tif 000005
【図４】
0003140385.tif 000006
【図５】
0003140385.tif 000007
【図６】
0003140385.tif 000008
【図７】
0003140385.tif 000009
【図８】
0003140385.tif 000010
【図９】
0003140385.tif 000011
【図１０】
0003140385.tif 000012
【図１１】
0003140385.tif 000013
【手続補正書】
【提出日】平成20年1月15日(2008.1.15)
【手続補正１】
【補正対象書類名】実用新案登録請求の範囲
【補正対象項目名】全文
【補正方法】変更
【補正の内容】
【実用新案登録請求の範囲】
【請求項１】
書籍の情報を印刷した書籍保護シートと、不透明なシートを剥離可能に貼り合わせたブックカバーであって、
前記不透明なシートは、書籍保護シートに印刷された情報を視認できないように覆いつつ、前記保護シートに印刷された印刷情報部分を露出させるための窓を形成するためのミシン目を有することを特徴とするブックカバー。
【請求項２】
前記不透明なシートは、飾り図形や宛先情報を含む印刷情報を有する
ことを特徴とする請求項１に記載のブックカバー。
【請求項３】
前記保護シートの印刷情報は、書籍名称情報やメッセージ文字列であって、それぞれが、保護シートの異なる場所に印刷されて、
前記不透明なシートが有するミシン目の位置は、前記保護シートのそれぞれの印刷情報の位置に対応している
ことを特徴とする請求項１または請求項２のいずれか１項に記載のブックカバー。
【請求項４】
透明な書籍保護シートと不透明なシートを剥離可能に貼り合せたブックカバーであって、
前記不透明なシートは、前記ブックカバーが保護する書籍の背表紙に印刷されている書籍名称情報を視認できないように覆いつつ、前記書籍の背表紙に印刷されている書籍名称情報を露出させるために、不透明なシートの一部を書籍の背表紙の幅に合わせて分離できるようにミシン目加工がなされている
ことを特徴とするブックカバー。